【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
動画データを格納した動画ファイルであり、他の動画ファイルとの連続性を示す識別情報を含む前記動画ファイルを処理する画像処理装置において、
前記識別情報に基づいて、動画データの一つのシーンを構成する前記動画ファイルを検出する検出手段と、
複数の動画ファイルで構成される一つのシーンの動画データにおいて、シーンの先頭からの一部を消去する編集処理を行なう編集手段と、
前記編集手段の編集処理によって、前記一つのシーンの複数の動画ファイルのうちの所定の動画ファイルに含まれる動画データの一部が消去された場合に、前記所定の動画ファイルの前記識別情報を、前記所定の動画ファイルの前に連続する動画ファイルがないことを示す情報に変更する変更手段と、
を備えることを特徴とする画像処理装置。
【請求項２】
前記動画ファイルが含む前記識別情報は、前記動画ファイルに対して前に連続する動画ファイルを識別するための第１の識別情報と、前記動画ファイルに対して後に連続する動画ファイルを識別するための第２の識別情報とを含み、
前記変更手段は、前記編集手段の編集処理によって、前記所定の動画ファイルに含まれる動画データの一部が消去された場合に、前記所定の動画ファイルの前記第１の識別情報を、前記所定の動画ファイルの前に連続する動画ファイルがないことを示す情報に変更することを特徴とする請求項１に記載の画像処理装置。
【請求項３】
前記一つのシーンの動画データにおける再生開始位置を設定する指示を受ける手段を有し、
前記編集手段は、前記一つのシーンの動画データの先頭から前記再生開始位置の設定の指示により設定された再生開始位置までの動画データを消去し、
前記変更手段は、前記変更された再生開始位置を含む動画データを格納している前記所定の動画ファイルの前記第１の識別情報を、前に連続する動画ファイルがないことを示す情報に変更することを特徴とする請求項２に記載の画像処理装置。
【請求項４】
前記一つのシーンの動画データの先頭から前記変更された再生開始位置までの動画データが連続する複数の動画ファイルに格納されている場合、前記編集手段は、前記連続する複数の動画ファイルのうち前記所定の動画ファイルより前の動画ファイルを消去することを特徴とする請求項３に記載の画像処理装置。
【請求項５】
動画データを格納した動画ファイルであり、他の動画ファイルとの連続性を示す識別情報を含む前記動画ファイルを処理する画像処理装置において、
前記識別情報に基づいて、動画データの一つのシーンを構成する前記動画ファイルを検出する検出手段と、
複数の動画ファイルで構成される一つのシーンの動画データにおいて、シーンの最後からの一部を消去する編集処理を行う編集手段と、
前記編集手段の編集処理によって、前記一つのシーンの複数の動画ファイルのうちの所定の動画ファイルに含まれる動画データの一部が消去された場合に、前記所定の動画ファイルの前記識別情報を、前記所定の動画ファイルの後に連続する動画ファイルがないことを示す情報に変更する変更手段と
を備えることを特徴とする画像処理装置。
【請求項６】
前記動画ファイルが含む前記識別情報は、前記動画ファイルに対して前に連続する動画ファイルを識別するための第１の識別情報と、前記動画ファイルに対して後に連続する動画ファイルを識別するための第２の識別情報とを含み、
前記変更手段は、前記編集手段の編集処理によって、前記所定の動画ファイルに含まれる動画データの一部が消去された場合に、前記所定の動画ファイルの第２の識別情報を、前記所定の動画ファイルの後に連続する動画ファイルがないことを示す情報に変更することを特徴とする請求項５に記載の画像処理装置。
【請求項７】
前記一つのシーンの動画データにおける再生停止位置を設定する指示を受ける手段を有し、
前記編集手段は、前記一つのシーンの動画データの最後から前記再生停止位置の設定の指示により設定された再生停止位置までの動画データを消去し、
前記変更手段は、前記変更された再生停止位置を含む動画データを格納している前記所定の動画ファイルの前記第２の識別情報を、後に連続する動画ファイルがないことを示す情報に変更することを特徴とする請求項６に記載の画像処理装置。
【請求項８】
前記編集手段は、前記一つのシーンの動画データの最後から前記変更された再生停止位置までの動画データが連続する複数の動画ファイルに格納されている場合は、前記連続する複数の動画ファイルのうち、前記所定の動画ファイルより後の動画ファイルを消去することを特徴とする請求項７に記載の画像処理装置。
【請求項９】
前記識別情報に基づいて、動画データの一つのシーンを構成する動画ファイルを検出し、前記検出された動画ファイルで構成される前記シーンを選択可能に表示するインデックス画面を生成して表示手段に表示し、前記インデックス画面で選択されたシーンの編集画面を生成して前記表示手段に表示する制御手段を有することを特徴とする請求項１乃至８のいずれか一項に記載の画像処理装置。
【請求項１０】
動画データ及び前記識別情報を含む動画ファイルを記録媒体に記録する記録手段を有し、
前記記録手段は、記録開始の指示から記録停止の指示までの間に記録される１シーンの複数の動画ファイルのうち、先頭の動画ファイルに含まれる前記第１の識別情報として、前に連続する動画ファイルがないことを示す情報を記録し、最後の動画ファイルに含まれる前記第２の識別情報として、後に連続する動画ファイルがないことを示す情報を記録することを特徴とする請求項２または６に記載の画像処理装置。
【請求項１１】
前記動画ファイルは、各動画ファイルを識別するための第３の識別情報を有し、
前記第１の識別情報は、前記前に連続する動画ファイルの前記第３の識別情報を含み、前記第２の識別情報は、前記後に連続する動画ファイルの前記第３の識別情報を含むことを特徴とする請求項２または６に記載の画像処理装置。
【請求項１２】
動画データを格納した動画ファイルであり、他の動画ファイルとの連続性を示す少なくとも一つの識別情報を含む前記動画ファイルを処理する画像処理方法において、
前記少なくとも一つの識別情報に基づいて、動画データの一つのシーンを構成する前記動画ファイルを記録媒体から検出する検出ステップと、
前記検出された動画ファイルで構成される前記シーンの動画データの少なくとも一部を消去する編集処理を指示する指示ステップと、
前記検出された動画ファイルで構成される前記一つのシーンの動画データに、前記指示ステップで指示された編集処理を行なう編集ステップと、
前記指示ステップで指示された編集処理によって動画ファイルの連続性が無くなったことに従って、前記編集ステップで編集された動画データからなる一つのシーンを構成する動画ファイルの識別情報を変更する制御ステップと、
を備えることを特徴とする画像処理方法。
【請求項１３】
動画データを格納した動画ファイルであり、他の動画ファイルとの連続性を示す識別情報を含む前記動画ファイルを処理する画像処理方法において、
前記識別情報に基づいて、動画データの一つのシーンを構成する前記動画ファイルを検出するステップと、
複数の動画ファイルで構成される一つのシーンの動画データにおいて、シーンの最後からの一部を消去する編集処理を行うステップと、
前記編集処理によって、前記一つのシーンの複数の動画ファイルのうちの所定の動画ファイルに含まれる動画データの一部が消去された場合に、前記所定の動画ファイルの前記識別情報を、前記所定の動画ファイルの後に連続する動画ファイルがないことを示す情報に変更するステップと
を有することを特徴とする画像処理方法。
【請求項１４】
動画データを格納した動画ファイルであり、他の動画ファイルとの連続性を示す少なくとも一つの識別情報を含む前記動画ファイルを処理する画像処理装置を制御するためのプログラムであり、
コンピュータを、
前記少なくとも一つの識別情報に基づいて、動画データの一つのシーンを構成する前記動画ファイルを検出する検出手段、
前記検出された動画ファイルで構成される前記シーンの動画データの少なくとも一部を消去する編集処理を指示する指示手段、
前記検出された動画ファイルで構成される前記一つのシーンの動画データに、前記指示手段により指示された編集処理を行なう編集手段、
前記指示手段で指示された編集処理によって動画ファイルの連続性が無くなったことに従って、前記編集手段で編集された動画データからなる一つのシーンを構成する動画ファイルの識別情報を変更する制御手段、
として機能させるプログラム。
【請求項１５】
動画データを格納した動画ファイルであり、他の動画ファイルとの連続性を示す識別情報を含む前記動画ファイルを処理するコンピュータを、
前記識別情報に基づいて、動画データの一つのシーンを構成する前記動画ファイルを検出するステップ、
複数の動画ファイルで構成される一つのシーンの動画データにおいて、シーンの最後からの一部を消去する編集処理を行うステップ、
前記編集処理によって、前記一つのシーンの複数の動画ファイルのうちの所定の動画ファイルに含まれる動画データの一部が消去された場合に、前記所定の動画ファイルの前記識別情報を、前記所定の動画ファイルの後に連続する動画ファイルがないことを示す情報に変更するステップ
として機能させるためのプログラム。
【請求項１６】
請求項１４に記載のプログラムを記憶したコンピュータが読み取り可能な記憶媒体。
【請求項１７】
請求項１５に記載のプログラムを記憶したコンピュータが読み取り可能な記憶媒体。
【請求項１８】
コンピュータを、請求項１乃至１１のいずれか一項に記載された画像処理装置の各手段として機能させるプログラム。
【請求項１９】
コンピュータを、請求項１乃至１１のいずれか一項に記載された画像処理装置の各手段として機能させるプログラムを格納した記憶媒体。
【手続補正２】
【補正対象書類名】明細書
【補正対象項目名】０００７
【補正方法】変更
【補正の内容】
【０００７】
本発明においては、動画データを格納した動画ファイルであり、他の動画ファイルとの連続性を示す少なくとも一つの識別情報を含む動画ファイルを処理する画像処理装置は、識別情報に基づいて動画データの一つのシーンを構成する動画ファイルを検出し、複数の動画ファイルで構成される一つのシーンの動画データにおいて、シーンの先頭からの一部を消去する編集処理を行ない、編集処理によって一つのシーンの複数の動画ファイルのうちの所定の動画ファイルに含まれる動画データが消去された場合に、所定の動画ファイルの識別情報を、所定の動画ファイルの前に連続する動画ファイルがないことを示す情報に変更する。
【手続補正３】
【補正対象書類名】明細書
【補正対象項目名】００２１
【補正方法】変更
【補正の内容】
【００２１】
本実施例では、信号処理部１０４により符号化されたデータのデータレートは、記録媒体１０８に対して記録可能なデータレートよりも低い。そのため、本実施形態では、符号化データを一旦メモリ１０５に記憶する。そして、メモリ１０５に記憶された符号化データのデータ量が第１の所定量に達する毎に、記録再生部１０６は、メモリ１０５から符号化データを読み出して、記録媒体１０８に記録する。そして、メモリ１０５に記憶された符号化データが第１の所定量よりも少ない第２の所定量まで減少した時点でメモリ１０５からの符号化データの読み出しを一時停止し、記録媒体１０８に対する記録処理を中断する。このようにして処理を繰り返す。このとき、ファイルを開いていない場合は、新規に符号化データを記録するファイルを作成して開き、符号化データを動画ファイルとして記録する。